(57)【要約】【課題】フレームとクロスが別々になったパネルにおいて、クロスをフレームの両面又は片面、あるいは一部のみに張ることのできる、デザイン性に優れたパネルを提供する。【解決手段】左右の支柱及び左右の支柱をそれぞれ結ぶ上下の横桟を含むフレームと、前記左右の支柱間に張られたクロス又は前記上下の横桟の間に張られたクロスとを備えるパネルであって、前記左右の支柱の内部及び前記上下の横桟の内部には、前記クロスを保持するための複数の溝が、前記支柱の長手方向に沿って設けられている。前記クロスは、その端が開口部を通って前記左右の支柱の溝又は前記上下の横桟の溝にはめ込まれ、かつ、前記開口部を塞ぐカバーにより当該カバーと前記開口部の間に挟み込まれる。【選択図】              図３
2010112131.tif 000002
【特許請求の範囲】
【請求項１】
左右の支柱及び左右の支柱をそれぞれ結ぶ上下の横桟を含むフレームと、前記左右の支柱間に張られたクロス又は前記上下の横桟の間に張られたクロスとを備えるパネルであって、
前記左右の支柱の内部には、前記クロスを保持するための複数の溝が、前記支柱の長手方向に沿って、前記左右の支柱の中心を通る面に対して略対称に設けられ、
前記上下の横桟の内部には、前記クロスを保持するための複数の溝が、前記横桟の長手方向に沿って、前記上下の横桟の中心を通る面に対して略対称に設けられ、
前記左右の支柱には、前記支柱の長手方向に沿って開口部が設けられ、前記左右の支柱の溝は前記開口部と連通し、
前記上下の横桟には、前記横桟の長手方向に沿って開口部が設けられ、前記上下の横桟の溝は前記開口部と連通し、
さらに、前記左右の支柱の開口部を塞ぐカバーと、前記上下の横桟の開口部を塞ぐカバーと、を備え、
前記クロスは、その端が前記開口部を通って前記左右の支柱の溝又は前記上下の横桟の溝にはめ込まれ、かつ、前記カバーにより当該カバーと前記開口部の間に挟み込まれることを特徴とするパネル。
【請求項２】
さらに、前記左右の支柱の溝又は前記上下の横桟の溝には棒状のクロス押さえ部材がはめ込まれ、前記クロスは、当該クロス押さえ部材によって保持されることを特徴とする請求項１記載のパネル。
【請求項３】
下の横桟の下面に取り付けられて、隣接する複数のパネル同士を結合するジョイント部材と、前記ジョイント部材に取り付けられる転倒防止部材とを備えることを特徴とする請求項１又は請求項２記載のパネル。
【請求項４】
上の横桟の上面に取り付けられて、隣接する複数のパネル同士を結合するジョイント部材を備えることを特徴とする請求項１乃至請求項３いずれかに記載のパネル。
【発明の詳細な説明】
【技術分野】
【０００１】
この発明は、オフィスのパーティションなどに用いられるパネルに関する。
【背景技術】
【０００２】
パネルやスクリーン、パーティションに関する先行技術として、例えば、下記に示すものがある。
【０００３】
【特許文献１】特開２００８−６３９０４号公報
【特許文献２】特開２００４−２２５４８６号公報
【特許文献３】特開２００７−２４１４号公報
【特許文献４】特開平１０−２０１５８８８号公報
【特許文献５】特開２００６−３１６４９９号公報
【特許文献６】特開２００３−１１９８８０号公報
【発明の開示】
【発明が解決しようとする課題】
【０００４】
（１）クロスの張り方について
従来、フレームとクロスが別々になったパネルは存在するが、フレームに袋状のクロスを被せることで取り付けるものや、クロスの両端が袋状になっておりその部分を支柱に被せることで取り付けるものが多い。このようなやり方では、クロスを支柱の両面に取り付けるか（フレームに袋状のクロスを被せるパターン）、あるいは片面に取り付けるか（フレームの支柱部分にクロスの両端の袋状の部分を被せるパターン）のいずれかになり、デザイン上の自由度が少ない。
【０００５】
（２）アジャスター（転倒防止部材）の取り付けについて
パネルそれぞれの下部にアジャスターを取り付ける構造だと無駄が生じる。隣接するパネルの間にひとつのアジャスターがあればよい。複数のパネルをジョイントする場合は、その一方の支柱にアジャスターを取り付ければ、転倒防止の点で十分である。
【０００６】
この発明は、上記課題に鑑みてなされたもので、デザイン性に優れたパネルを提供することを目的とする。
【課題を解決するための手段】
【０００７】
この発明は、左右の支柱及び左右の支柱をそれぞれ結ぶ上下の横桟を含むフレームと、前記左右の支柱間に張られたクロス又は前記上下の横桟の間に張られたクロスとを備えるパネルであって、
前記左右の支柱の内部には、前記クロスを保持するための複数の溝が、前記支柱の長手方向に沿って、前記左右の支柱の中心を通る面に対して略対称に設けられ、
前記上下の横桟の内部には、前記クロスを保持するための複数の溝が、前記横桟の長手方向に沿って、前記上下の横桟の中心を通る面に対して略対称に設けられ、
前記左右の支柱には、前記支柱の長手方向に沿って開口部が設けられ、前記左右の支柱の溝は前記開口部と連通し、
前記上下の横桟には、前記横桟の長手方向に沿って開口部が設けられ、前記上下の横桟の溝は前記開口部と連通し、
さらに、前記左右の支柱の開口部を塞ぐカバーと、前記上下の横桟の開口部を塞ぐカバーと、を備え、
前記クロスは、その端が前記開口部を通って前記左右の支柱の溝又は前記上下の横桟の溝にはめ込まれ、かつ、前記カバーにより当該カバーと前記開口部の間に挟み込まれることを特徴とする。
【０００８】
さらに、前記左右の支柱の溝又は前記上下の横桟の溝には棒状のクロス押さえ部材がはめ込まれ、前記クロスは、当該クロス押さえ部材によって保持されるようにしてもよい。
【０００９】
下の横桟の下面に取り付けられて、隣接する複数のパネル同士を結合するジョイント部材と、前記ジョイント部材に取り付けられる転倒防止部材とを備えるようにしてもよい。
【００１０】
上の横桟の上面に取り付けられて、隣接する複数のパネル同士を結合するジョイント部材を備えるようにしてもよい。
【発明を実施するための最良の形態】
【００１１】
発明の実施の形態に係るパネルについて、図面を参照して説明を加える。
【００１２】
図１は、発明の実施の形態に係るパネルの平面図（同図（ａ））及び正面図（同図（ｂ））である。
【００１３】
当該パネルは、左右の支柱１ａと１ｂ及び上部・下部横桟２ａ，２ｂとからなる四角のフレームと、これに取り付けられるクロス３とからなる。同図では、クロス３をフレーム全体に設けた例を示すが、本発明の実施の形態はこれに限定されない。本発明の実施の形態の特徴は、左右の支柱１ａと１ｂ又は上部・下部横桟２ａ，２ｂの間に任意の幅のクロスを取り付けることができる点を特徴とする。フレームの下部には、円形アジャスター４あるいは棒状のアジャスター５をアジャスター座４１を介して選択的に取り付けることができる。アジャスターを取り付けることで当該パネルを安定して載置ことができるが、アジャスターがなくてもパネルとして使用できることは言うまでも無い。
【００１４】
左右の支柱１ａと１ｂ及び上部・下部横桟２ａ，２ｂは棒状の部材であり、アルミニウムなどの金属製あるいはプラスチック製である。その構造の詳細は後述する。クロス３は、織物・布地でできた長方形あるいは正方形の部材である。クロス３は薄くて柔らかいものである。その端部を左右の支柱１ａと１ｂ又は上部・下部横桟２ａ，２ｂに挟み込むことで固定することができる。
【００１５】
図１は、フレームの片面にのみクロスを張ったものを示す。
【００１６】
図２は、発明の実施の形態に係る他のパネルの平面図（同図（ａ））及び正面図（同図（ｂ））である。
【００１７】
図２のパネルは、その横桟２ａと２ｂが湾曲している点で図１のパネルと異なる。従来のパネルは平面状のものが多かったが、本発明の実施の形態によれば図２のように湾曲したパネルも容易に構成できる。図２は、フレームの両面にクロスを張ったものを示す。
【００１８】
発明の実施の形態に係るパネルでは、クロス３を容易に取り替えることができる。また、デザイン性に優れたパネルを実現するために、パネルのフレームの片面だけにクロス３を張ることができる。クロス３を片面だけに張ることによりクロスの貼られていない側のフレーム１ａ，１ｂ，２ａ，２ｂが露出しており、デザイン性に優れることになる。クロス３の表面に印字などをした場合、片面だけに張ることにより裏側に印字が透けることになり、デザイン性に優れたパネルを構成することができる。もちろん、両面にクロス３を張ることもできるだけでなく、パネルの一部のみに、選択的にクロス３を張ることできる。発明の実施の形態に係るパネルは、デザイン性に優れるとともに片面だけに張ることによりコストの面でもメリットがある。
【００１９】
図３は、発明の実施の形態に係るパネルのＡ−Ａ矢視断面図である。同図（ａ）はクロスを張っていない状態を示し、同図（ｂ）は片面だけにクロス３を張った状態を示し、同図（ｃ）は両面にクロス３−１と３−２を張った状態を示す。
【００２０】
支柱１ａ，１ｂには、それぞれ、その長手方向に（言い換えれば、支柱の軸に沿って平行に）溝１１−１と１１−２が設けられている。溝１１−１と１１−２は、クロス３を留める部分である。溝１１−１と１１−２は、支柱１ａ，１ｂの中心（軸）を通る面（図面上で言えば、支柱１ａの中心と支柱１ｂの中心を結んだ線）に対して対称に設けられていて、溝１１−１と１１−２が交差する前記中心近傍には開口部が設けられ、当該開口部からクロス３の端（袋状部分３１）を溝１１−１と１１−２の奥へ入れ込むことができる。
【００２１】
また、溝１１−１と１１−２において、クロス３の端を固定するためのクロス押さえ棒３２が袋状部分３１に挿入されるが、当該クロス押さえ棒３２は支柱１ａ，１ｂの端から挿入される。溝１１−１と１１−２の端の大きさはクロス押さえ棒３２の直径とほぼ同じであるが、前記開口部へ連通する部分はそれよりも小さい。したがって、一度挿入されたクロス押さえ棒３２は前記開口部に抜けることがなく、クロス３は支柱１ａ，１ｂに固定される。
【００２２】
前記開口部にはやはり棒状のクロス押さえ１２がはめ込まれる。クロス押さえ１２の幅（厚み）は前記開口部の大きさとほぼ同じであり、したがって、クロス押さえ１２によっても、クロス３は抜けないように保持される。
【００２３】
図４は、発明の実施の形態に係るパネルのＢ−Ｂ矢視断面図である。同図（ａ）はクロスを張っていない状態を示し、同図（ｂ）は片面だけにクロス３を張った状態を示す。
【００２４】
横桟２ａ，２ｂには、それぞれ、その長手方向に（横桟の軸に沿って平行に）溝２１−１と２１−２が設けられている。溝２１−１と２１−２は、クロス３を留める部分である。溝２１−１と２１−２は、横桟２ａ，２ｂの中心（軸）を通る面（言い換えれば、横桟２ａの中心と横桟２ｂの中心を結んだ線）に対して対称に設けられている。溝２１−１と２１−２は開放されていて、横桟２ａ，２ｂの背面からクロス３の端を溝２１−１と２１−２の奥へ入れ込むことができる。
【００２５】
また、溝２１−１と２１−２において、クロス３の端を固定するためのクロス押さえ棒３３が挿入される。横桟２ａの背面には、カバー兼クロス押さえ２２が取り付けられ、その背面を塞ぐとともに、その端でクロス３を押さえることで、クロス３は抜けないように保持される。同様に、横桟２ｂの背面には、配線ケース兼クロス押さえ２３が取り付けられ、クロス３は抜けないように保持される。配線ケース兼クロス押さえ２３の内部は空洞であり、その背面は開口している。ここに、図示しない配線を収納することができる。配線ケース兼クロス押さえ２３の背面は、カバー２４で塞がれる。
【００２６】
図５は、発明の実施の形態に係るパネルの下部フレームにクロスを取り付けた状態を示す斜視図（部分）である。同図は、パネルを図１のＡ−Ａ線で切断した斜視図を示している。同図のクロス３ａ乃至３ｈは、それぞれ細いものであり、交互に横桟２ａ，２ｂの反対側に取り付けられている。また、端のクロス３ａと３ｈは、支柱１ａ，１ｂにも取り付けられている。同図は、図１や図２とは異なるクロスの取り付け方を示すものであり、発明の実施の形態に係るパネルによれば、このような形態も可能になる。
【００２７】
図６は、発明の実施の形態に係るパネルの左（右）側フレームへのクロス取り付け状態を示す分解斜視図である。クロス３の端の袋状部分３１にクロス押さえ棒３２を挿入し、これを溝１１−１に嵌めこむ。そして、支柱１ａの開口にクロス押さえ１２をはめ込むことでクロス３が支柱１ａにしっかりと固定される。
【００２８】
図７は、発明の実施の形態に係るパネルの上部フレームへのクロス取り付け状態を示す分解斜視図である。クロス３の上端を溝２１−１の中に入れ、その上からクロス押さえ棒３３で押さえる。そして、カバー兼クロス押さえ２２を嵌めこむことでクロス３が横桟２ａにしっかりと固定される。同図の符号１３は、支柱１ａと横桟２ａの接合部を覆うカバーである。
【００２９】
図８は、発明の実施の形態に係るパネルの上部フレームと左（右）側フレームの取り付け状態を示す分解斜視図である。接合部材１６を支柱１ａにネジ１８３で固定するとともに、部材１５を段付きネジ１４で支柱１ａに固定する。部材１５の端には孔が設けられており、そこに部材１７を合わせてネジ１８２で固定する。部材１７は、そこに設けられた孔を介してネジ１８４で横桟２ａを固定するためのものである。部材１６、１５、１７により、支柱１ａと横桟２ａが連結される。段付きネジ１４の上部にはネジ孔が設けられており、ネジ１８１によりそこにカバー１３を取り付ける。
【００３０】
図９は、発明の実施の形態に係るパネルの下部フレームと左（右）側フレームの取り付け状態を示す分解斜視図である。図８の場合と同様に、部材１６、１５、１７により、支柱１ａと横桟２ｂが連結される。また、連結部分の部材１６の開口は、カバー１９で覆われる。
【００３１】
図１０は、発明の実施の形態に係るパネルの下部へのアジャスター取り付け状態を示す分解斜視図である。同図（ａ）は円形アジャスター４の取り付けを説明するものであり、同図（ｂ）は棒状のアジャスター５の取り付けを説明するものである。図９に示したカバー１９には、支柱１ａの軸に平行に（ほぼ同軸に）ネジ孔が設けてあり、そこにアジャスター座４１が取り付けられる。アジャスター座４１の反対側にはネジ孔が設けてあり、そこに円形アジャスター４又はアジャスター５が取り付けられる。円形アジャスター４はネジ４２を介して、アジャスター５はその端に設けられた雄ネジで取り付けられる。
【００３２】
図１１は、発明の実施の形態に係るパネル同士を結合するジョイント部材の取り付け状態を示す分解斜視図である。ジョイント部材１４１は、略長方形の板であり、その両端にはネジを受け入れる穴が設けられている。その幅は横桟２ａ，２ｂやカバー１３の奥行きと同等かそれよりも短い。図８に示したカバー１３にもネジ孔が設けられているから、２つのパネルをぴったりとくっつけて並べ、カバー１３同士が接触するようにし、両者を跨ぐようにジョイント部材１４１を取り付け、ネジ１５１でカバー１３（つまり支柱１ａ、１ｂに固定する。このようにすることで２つのパネルが物理的に連結される。
【００３３】
図１２は、発明の実施の形態に係るパネルの下部へのアジャスター及びジョイント部材の取り付け状態を示す分解斜視図である。ジョイント部材４３は、略長方形の板であり、その両端にはネジを受け入れる穴が設けられているとともに、その中央にはアジャスター座４１とほぼ同一形状及び大きさのものが設けられている。図１１と同様に、２つのパネルをぴったりとくっつけて並べ、カバー１９同士が接触するようにし、両者を跨ぐようにジョイント部材４３を取り付け、ネジ４４で支柱１ａ、１ｂに固定する。そして、ジョイント部材４３のアジャスター座の部分に円形アジャスター４あるいはアジャスター５を取り付ける。アジャスター４、５を取り付けることでパネルの転倒防止を図ることができる。アジャスターは、ジョイント部材で連結された複数のパネルの間にひとつ取り付けるだけですむので、従来に比べてその数を減らすことができる。
【００３４】
図１１及び図１２に示すように、複数のパネルを自由にジョイントすることにより任意の空間を作ることができる。パネル間のジョイント方法については公知のものがあるが、図１１及び図１２の構造は従来のやり方よりも簡易に行うことができる。
【００３５】
なお、クロス３の貼り方は必ずしも左右の支柱１ａ，１ｂ、上下の横桟２ａ，２ｂに固定しなければいけないわけではない。横桟２ａ，２ｂにさえ固定すれば任意の位置にクロスを取り付けることができる（図５参照）。
【００３６】
なお、下の横桟２ｂの下面内部の空間Ｃには、照明用の電源線、ディスプレイ用のＲＧＢケーブルなどの配線を収納することができる。
【００３７】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００３８】
【図１】発明の実施の形態に係るパネルの平面図及び正面図である。
【図２】発明の実施の形態に係る他のパネルの平面図及び正面図である。
【図３】発明の実施の形態に係るパネルのＡ−Ａ矢視断面図である。
【図４】発明の実施の形態に係るパネルのＢ−Ｂ矢視断面図である。
【図５】発明の実施の形態に係るパネルの下部フレームにクロスを取り付けた状態を示す斜視図（部分）である。
【図６】発明の実施の形態に係るパネルの左（右）側フレームへのクロス取り付け状態を示す分解斜視図である。
【図７】発明の実施の形態に係るパネルの上部フレームへのクロス取り付け状態を示す分解斜視図である。
【図８】発明の実施の形態に係るパネルの上部フレームと左（右）側フレームの取り付け状態を示す分解斜視図である。
【図９】発明の実施の形態に係るパネルの下部フレームと左（右）側フレームの取り付け状態を示す分解斜視図である。
【図１０】発明の実施の形態に係るパネルの下部へのアジャスター取り付け状態を示す分解斜視図である。
【図１１】発明の実施の形態に係るパネル同士を結合するジョイント部材の取り付け状態を示す分解斜視図である。
【図１２】発明の実施の形態に係るパネルの下部へのアジャスター及びジョイント部材の取り付け状態を示す分解斜視図である。
【符号の説明】
【００３９】
１ａ    フレームの左側支柱
１ｂ    フレームの右側支柱
２ａ    フレームの上部横桟
２ｂ    フレームの下部横桟
３      クロス
４  円形アジャスター（転倒防止部材）
５  アジャスター
１１−１、１１−２  支柱の溝（留め部分）
１２  クロス押さえ
２１−１、２１−２  支柱の溝（留め部分）
２２  カバー兼クロス押さえ
２３  配線ケース兼クロス押さえ
２４  カバー
３１  クロスの端の袋状部分
３２、３３  クロス押さえ棒
４１  アジャスター座
４３  ジョイント部材
１４１  ジョイント部材
Ａ  支柱の開口部
Ｂ  横桟の開口部
Ｃ  配線収納用の空間
【図１】
2010112131.tif 000003
【図２】
2010112131.tif 000004
【図３】
2010112131.tif 000005
【図４】
2010112131.tif 000006
【図５】
2010112131.tif 000007
【図６】
2010112131.tif 000008
【図７】
2010112131.tif 000009
【図８】
2010112131.tif 000010
【図９】
2010112131.tif 000011
【図１０】
2010112131.tif 000012
【図１１】
2010112131.tif 000013
【図１２】
2010112131.tif 000014